(57)【要約】      （修正有）【課題】飲料水やジュースなどを詰めた樹脂製ボトルのサイズを選ばずに各種の樹脂製ボトルをシート・バックの背裏面に吊り下げて保持でき、傘や杖などの保持も可能にする。【解決手段】シート・バックの背裏面の所定の箇所に開口されるホルダー取付け開口においてシート・バック・フレームに固定的に取り付けられる取付けベース１４、および、その取付けベース１４の表面に隆起される軸受けフレーム１５からなるシート・バック側ブラケット１１と、そのシート・バック側ブラケット１１のその軸受けフレーム１５に折りたたみ引き倒し可能に支持されるボトル側ブラケット１２と、シャンク３１、および、そのシャンク寄りにボトル首元つかみ込み口３５を開口してそのシャンク３１の先端から伸びるオープン・ループ・フック３４からなり、そして、そのシャンク３１でそのボトル側ブラケット１２の先端部分２７に固定的に取り付けられるボトル・フック１３とを含む。【選択図】図１
2012236433.tif 000002
【特許請求の範囲】
【請求項１】
シート・バックの背裏面の所定の箇所に開口されるホルダー取付け開口においてシート・バック・フレームに固定的に取り付けられる取付けベース、および、その取付けベースの表面に隆起される軸受けフレームからなるシート・バック側ブラケットと、そのシート・バック側ブラケットのその軸受けフレームに折りたたみ引き倒し可能に支持されるボトル側ブラケットと、シャンク、および、そのシャンク寄りにボトル首元つかみ込み口を開口してそのシャンクの先端から伸びるオープン・ループ・フックからなり、そして、そのシャンクでそのボトル側ブラケットの先端部分に固定的に取り付けられるボトル・フックとを含む自動車シートに用いるボトル・ホルダー。
【請求項２】
そのボトル側ブラケットおよびそのボトル・フックが、樹脂から一体的に成形される請求項1に記載の自動車シートに用いるドリンク・ホルダー。
【請求項３】
ボトル・フックが、シャンク、および、そのシャンク寄りにボトル首元つかみ込み口を開口してそのシャンクの先端から伸びるオープン・ループ・フックからなり、そのシャンクおよびそのオープン・ループ・フックが、樹脂から一体的に成形され、そして、そのボトル・フックが、シート・バックの背裏面の所定の箇所に固定的に取り付けられているコンビニ袋ホルダーのフックに固定的に支持されるところの自動車シートに用いるボトル・ホルダー。
【発明の詳細な説明】
【技術分野】
【０００１】
この発明は、自動車シートに用いるボトル・ホルダーに関し、詳細には、シート・バックの背裏面の所定の箇所に折りたたみ引き倒し可能に取り付けられ、そして、飲料水やジュースなどを詰めた樹脂製ボトルを吊り下げるところの自動車シートに用いるボトル・ホルダーに関する。
【背景技術】
【０００２】
自動車では、フロント・シートやセカンド・シートのシート・バックの背裏面のコンビニ袋ホルダーを備えて買った品物を入れたビニール袋や各種の袋を吊り下げるようにしているが、この種のコンビニ袋ホルダーはボトル・ホルダーに利用できない。
また、ボトル・ホルダーは、アウト・ドア・グッズにあるが、その種のボトル・ホルダーは支持箇所に引っ掛けて使用可能にする構造を採るので、自動車シートには活用が難かしい。
さらに、シート・バックの背裏面に取り付けられるドリンク・ホルダーでは高価になって利用には不経済になる。
【先行技術文献】
【特許文献】
【０００３】
特開平５−８０８７３公報
【発明の概要】
【発明が解決しようとする課題】
【０００４】
この発明の課題は、飲料水やジュースなどを詰めた樹脂製ボトルのサイズを選ばずに各種の樹脂製ボトルをシート・バックの背裏面に吊り下げて保持でき、コンビニ袋ホルダーの機能も満たし、そして、傘や杖などの保持にも活用できるところの自動車シートに用いるボトル・ホルダーを提供するにある。
【課題を解決するための手段】
【０００５】
この発明の自動車シートに用いるボトル・ホルダーは、シート・バックの背裏面の所定の箇所に開口されるホルダー取付け開口においてシート・バック・フレームに固定的に取り付けられる取付けベース、および、その取付けベースの表面に隆起される軸受けフレームからなるシート・バック側ブラケットと、そのシート・バック側ブラケットのその軸受けフレームに折りたたみ引き倒し可能に支持されるボトル側ブラケットと、シャンク、および、そのシャンク寄りにボトル首元つかみ込み口を開口してそのシャンクの先端から伸びるオープン・ループ・フックからなり、そして、そのシャンクでそのボトル側ブラケットの先端部分に固定的に取り付けられるボトル・フックとを含む。
【発明の効果】
【０００６】
この発明の自動車シートに用いるボトル・ホルダーでは、構造が簡単で強度が確保されて壊れ難くなり、コスト低減も図られ、飲料水やジュースなどを詰めた樹脂製ボトルのサイズを選ばずに各種の樹脂製ボトルがシート・バックの背裏面に吊り下げられて保持され、コンビニ袋ホルダーの機能も満たされ、そして、傘や杖などの保持にも活用可能になる。
【図面の簡単な説明】
【０００７】
【図１】乗用車のドライバー・シートのシート・バックに活用されるところのこの発明の自動車シートに用いるボトル・ホルダーの具体例を示した分解斜視図である。
【図２】そのボトル・ホルダーの折りたたんだ格納状態でそのシート・バックを部分的に示した部分斜視図である。
【図３】そのボトル・ホルダーの引き倒した使用前の状態でそのシート・バックを部分的に示した部分斜視図である。
【発明を実施するための形態】
【０００８】
この発明の自動車シートに用いるボトル・ホルダーは、シート・バックの背裏面の所定の箇所に開口されるホルダー取付け開口においてシート・バック・フレームに固定的に取り付けられる取付けベース、および、その取付けベースの表面に隆起される軸受けフレームからなるシート・バック側ブラケットと、そのシート・バック側ブラケットのその軸受けフレームに折りたたみ引き倒し可能に支持されるボトル側ブラケットと、シャンク、および、そのシャンク寄りにボトル首元つかみ込み口を開口してそのシャンクの先端から伸びるオープン・ループ・フックからなり、そして、そのシャンクでそのボトル側ブラケットの先端部分に固定的に取り付けられるボトル・フックとを含む。
【０００９】
そのシート・バック側ブラケットが樹脂から成形され、そして、そのボトル側ブラケットおよびボトル・フックが樹脂から別体に成形されても、また、一体的に成形されてもかまわない。
【００１０】
さらに、この発明の自動車シートに用いるボトル・ホルダーは、ボトル・フックが、シャンク、および、そのシャンク寄りにボトル首元つかみ込み口を開口してそのシャンクの先端から伸びるオープン・ループ・フックからなり、そのシャンクおよびそのオープン・ループ・フックが、樹脂から一体的に成形され、そして、そのボトル・フックが、シート・バックの背裏面の所定の箇所に固定的に取り付けられているコンビニ袋ホルダーのフックに固定的に支持されるところに具体化される。
【実施例１】
【００１１】
以下、特定されて図示された具体例に基づいて、この発明の自動車シートに用いるボトル・ホルダーを説明するに、図1ないし図3は、乗用車のドライバー・シート４０のシート・バック４１に取り付けられてリア・シートの乗員に利用可能にするところのこの発明の自動車シートに用いるボトル・ホルダーの具体例１０を示し、そして、そのドライバー・シート４０は、シート・クッション（図示せず）、アームレスト４２を備えるそのシート・バック４１、およびヘッドレスト（図示せず）で組み立てられ、そのシート・クッションがシート・トラック（図示せず）およびシート・リフター（図示せず）を組み込んでそのシート・トラックでその乗用車のフロアに据え付けられ、そのシート・バック４１が両側リクライニング・デバイス（図示せず）でそのシート・クッションに前倒しおよび角度調整可に支持され、そして、そのヘッドレストがそのシート・バック４１の上面に開口される左右のスティ・ホルダー（図示せず）に左右のスティを引き抜き可能に差し込んでそのシート・バック４１のその上面に取り付けられる。
【００１２】
このボトル・ホルダー１０では、シート・バック側ブラケット１１が、そのシート・バック４１の背裏面４２の所定の箇所に開口されるホルダー取付け開口４４においてシート・バック・フレーム（図示せず）にねじ止めされる取付けベース１４、および、その取付けベース１４の表面１６に隆起された軸受けフレーム１５からなり、また、ボトル側ブラケット１２が、そのシート・バック側ブラケット１１のその軸受けフレーム１５に折りたたみ引き倒し可能に支持され、さらに、ボトル・フック１３が、シャンク３１、および、そのシャンク寄りにボトル首元つかみ口３５を開口してそのシャンク３１の先端から伸びるオープン・ループ・フック３４からなり、そして、そのシャンク３１でそのボトル側ブラケット１２の先端部分２７にねじ止めされて取り付けられる。
【００１３】
このシート・バック側ブラケット１１は樹脂から成形され、そして、このシート・バック側ブラケット１１では、その取付けベース１４が、縦長の長方形に設計され、上下端１７、１８でそのシート・バック・フレームにねじ止めされ、また、その軸受けフレーム１５が、曲り傾斜頂面１９、両側面２０、２０、および上下端面２１、２２で厚板状ブロック形状に設計され、その取付けベース１４のその表面１６にその上端１７から下端１８に高く隆起されてその高く隆起されたところの側面に軸受け穴２３を開口し、そして、この軸受け穴２３でそのボトル側ブラケット１２を組み付け可能にしている。
そして、この軸受けフレーム１５は、その両側面２０、２０の下端部分に折りたたみ引き倒しストッパー２４、２５を突き出してそのストッパー２４、２５でそのボトル側ブラケット１２をそのシート・バック側ブラケット１１に折りたたんだ格納位置と引き倒した使用位置とに保持可能にしている。
【００１４】
勿論、この軸受けフレーム１５はそれの形状に保たれた吊りフックに変形されてもかまわない。その方が、そのボトル側ブラケット１２をそのシート・バック側ブラケット１１により簡単で容易に組み付け可能にする。
【００１５】
このボトル側ブラケット１２は樹脂から成形され、そして、このボトル側ブラケット１２では、ナックル接手２９がその軸受けフレーム１５の厚さ間隔でブラケット根元部分２６の裏面２８に突き出されてその軸受けフレーム１５のその軸受け穴２３でそのシート・バック側ブラケット１１にヒンジ結合可能にされている。また、このボトル側ブラケット１２では、爪掛け穴３０が、ブラケット先端部分２７に開口されてそのボトル・フック１３の爪３３を引っ掛けてそのボトル・フック１３をそのブラケット先端部分２７にねじ止め可能にされる。
【００１６】
このボトル・フック１３は樹脂から成形され、そして、このボトル・フック１３では、そのシャンク３１が厚板状で裏面３２にその爪３３を突き出し、その爪３３をそのボトル側ブラケット１２のその爪掛け穴３０に引っ掛けてそのボトル側ブラケット１２にねじ止めされる。そのように、このボトル・フック１３はそのボトル側ブラケット１２に強固に結合され、そして、飲料水やジュースなどを詰めた樹脂製ボトル５０を確実に保持可能にする。勿論、このボトル・フック１３は樹脂からそのボトル側ブラケット１２に一体的に成形されてかまわない。また、このボトル・フック１３はコンビニ袋ホルダーのフックに固定的に支持されるように変形されてもかまわない。
【００１７】
このボトル・ホルダー１０は、図２に示したように、持ち上げてそのシート・バック４１のその背裏面４３に折りたたんで格納位置にされ、また、図３に示したように引き倒してそのシート・バック４１のその背裏面４３に突き出して使用位置にされ、そして、飲料水やジュースなどを詰めた樹脂製ボトル５０の首元をそのボトル・フック１３につかみ込ませて引っ掛け、そして、そのボトル５０をそのシート・バック４１のその背裏面４３に吊り下げて保持する。
したがって、このボトル・ホルダー１０では、構造が簡単で強度が確保されて壊れ難くなり、コスト低減も図られ、飲料水やジュースなどを詰めた樹脂製ボトル５０のサイズを選ばずに各種の樹脂製ボトルがシート・バック４１のその背裏面４３に吊り下げられて保持され、コンビニ袋ホルダーの機能も満たされ、そして、傘や杖などの保持にも活用可能になる。
【００１８】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗ
ｉｔｈ）、そして、その発明の成立に必須である。
【産業上の利用可能性】
【００１９】
上述から理解されるように、この発明の自動車シートに用いるボトル・ホルダーは、シート・バックの背裏面の所定の箇所に開口されるホルダー取付け開口においてシート・バック・フレームに固定的に取り付けられる取付けベース、および、その取付けベースの表面に隆起される軸受けフレームからなるシート・バック側ブラケットと、そのシート・バック側ブラケットのその軸受けフレームに折りたたみ引き倒し可能に支持されるボトル側ブラケットと、シャンク、および、そのシャンク寄りにボトル首元つかみ込み口を開口してそのシャンクの先端から伸びるオープン・ループ・フックからなり、そして、そのシャンクでそのボトル側ブラケットの先端部分に固定的に取り付けられるボトル・フックとを含むので、この発明の自動車シートに用いるボトル・ホルダーでは、構造が簡単で強度が確保されて壊れ難くなり、コスト低減も図られ、飲料水やジュースなどを詰めたボトルのサイズを選ばずに各種のボトルがシート・バックの背裏面に吊り下げられて保持され、コンビニ袋ホルダーの機能も満たされ、そして、傘や杖などの保持にも活用可能になり、その結果、自動車シートにとって非常に有用で実用的である。
【符号の説明】
【００２０】
１０  ボトル・ホルダー
１１  シート・バック側ブラケット
１２  ボトル側ブラケット
１３  ボトル・フック
１４  取付けベース
１５  軸受けフレーム
１６  表面
１７  上端
１８  下端
１９  曲り傾斜頂面
２０  側面
２１  上端面
２２  下端面
２３  軸受け穴
２４  折りたたみ引き倒しストッパー
２５  折りたたみ引き倒しストーパー
２６  ブラケット根元部分
２７  ブラケット先端部分
２８  裏面
２９  ナックル接手
３０  爪掛け穴
３１  シャンク
３２  裏面
３３  爪
３４  オープン・ループ・フック
３５  ボトル首元つかみ込み口
４０  ドライバー・シート
４１  シート・バック
４２  アームレスト
４３  背裏面
４４  ホルダー取付け開口
５０  飲料水やジュースなどを詰めた樹脂製ボトル
【図１】
2012236433.tif 000003
【図２】
2012236433.tif 000004
【図３】
2012236433.tif 000005